(57)【要約】機器負荷（１４０）は、交流電源（４３０）から供給された電力を消費する。バイパス回路（１５０）は、機器負荷（１４０）と並列に設けられる。制御部（１５３）は、交流電源（４３０）から電気機器（１００）に流れる電流に、電気機器（１００）を識別するための情報を示す識別信号が重畳されるように、バイパス回路（１５０）に流れる電流を制御する。電力計測センサ（２００）は、交流電源（４３０）から電気機器（１００）に流れる電流を検出する。制御装置（３００）は、電力計測センサ（２００）により検出された電流に重畳されている識別信号に基づいて、電気機器（１００）を識別する。
2014112125.tif 000002
【特許請求の範囲】
【請求項１】
電気機器と電流センサと識別装置とを備える電気機器識別システムであって、
前記電気機器は、
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御する制御手段と、を備え、
前記電流センサは、前記電源から前記電気機器に流れる電流を検出し、
前記識別装置は、前記電流センサにより検出された電流に重畳されている前記識別信号に基づいて、前記電気機器を識別する、
電気機器識別システム。
【請求項２】
前記識別信号は、予め定められたパターンを有するプリアンブル部と前記プリアンブル部に続くデータ部とを有し、
前記識別装置は、前記電流センサにより検出された電流から前記プリンアンブル部を検出し、前記プリアンブル部を検出した場合、前記電流から前記プリアンブル部に続く前記データ部を検出する、
請求項１に記載の電気機器識別システム。
【請求項３】
前記電気機器は、前記電気機器の動作状態が安定した状態であるか否かを判別する状態判別手段をさらに備え、
前記制御手段は、前記状態判別手段により前記電気機器の動作状態が安定した状態であると判別された場合に、前記識別信号の重畳のための制御を実行する、
請求項１又は２に記載の電気機器識別システム。
【請求項４】
前記制御手段は、同一の情報を示す識別信号について、前記識別信号の重畳のための制御を複数回実行する、
請求項１乃至３のいずれか１項に記載の電気機器識別システム。
【請求項５】
前記電気機器識別システムは、前記電気機器を複数備え、
前記電流センサは、前記電源から前記複数の電気機器に流れる合計の電流を検出し、
前記複数の電気機器のそれぞれは、前記識別信号の重畳のための制御を開始するタイミングをランダムに決定する決定手段を備え、
前記制御手段は、前記決定手段により決定されたタイミングで、前記識別信号の重畳のための制御を開始する、
請求項１乃至４のいずれか１項に記載の電気機器識別システム。
【請求項６】
前記電気機器識別システムは、前記電気機器を複数備え、
前記電流センサは、前記電源から前記複数の電気機器に流れる合計の電流を検出し、
前記複数の電気機器のそれぞれは、前記識別信号の重畳のための制御が、等間隔で区切られた複数の期間のうちの１つの期間内に収まるように、前記識別信号の重畳のための制御を開始するタイミングを決定する決定手段を備え、
前記制御手段は、前記決定手段により決定されたタイミングで、前記識別信号の重畳のための制御を開始する、
請求項１乃至５のいずれか１項に記載の電気機器識別システム。
【請求項７】
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御する制御手段と、を備える、
電気機器。
【請求項８】
電源から供給された電力を消費する機器負荷と、前記機器負荷と並列に設けられた負荷回路と、を備える電気機器を識別する電気機器識別方法であって、
前記電源から前記電気機器に流れる電流に、前記電気機器を識別するための情報を示す識別信号が重畳されるように、前記負荷回路に流れる電流を制御する制御ステップと、
前記電源から前記電気機器に流れる電流を検出する検出ステップと、
前記検出ステップで検出された電流に重畳されている前記識別信号に基づいて、前記電気機器を識別する識別ステップと、を備える、
電気機器識別方法。
【発明の詳細な説明】
【技術分野】
【０００１】
本発明は、簡単な構成で電気機器を識別することが可能な電気機器識別システム、電気機器、及び、電気機器識別方法に関する。
【背景技術】
【０００２】
現在、電気機器の種類や動作状態を識別する様々な技術が知られている。例えば、特許文献１には、給電線を流れる電流を監視することにより、この給電線により電力が供給される電気機器の種類や動作状態を識別する技術が開示されている。【０００３】
特許文献１に開示された高調波信号発生装置は、動作状態を推定したい電気機器の動作に伴って、特徴的な高調波電流を給電線上に発生させる。具体的には、この高調波信号発生装置は、電気機器の動作時に、給電線から特定の電気機器に供給される電流を、一定時間毎に一定時間遮断して、動作状態に応じた高調波電流を、給電線上に発生させる。
【先行技術文献】
【特許文献】
【０００４】
【特許文献１】特開２００５−１６０１３０号公報
【発明の概要】
【発明が解決しようとする課題】
【０００５】
しかしながら、特許文献１に開示された高調波信号発生装置は、基本的に、電気機器の外部に設けられる構成である。従って、特許文献１に開示された発明では、電気機器を識別するためのハードウェアを、電気機器とは別に用意しなければならず、システムの構成が複雑になっていた。このため、電気機器に予め設けられているハードウェアを用いるなどして、簡単な構成で電気機器を識別することが可能な技術が求められている。【０００６】
本発明は、上記問題に鑑みてなされたものであり、簡単な構成で電気機器を識別することが可能な電気機器識別システム、電気機器、及び、電気機器識別方法を提供することを目的とする。
【課題を解決するための手段】
【０００７】
上記目的を達成するために、本発明に係る電気機器識別システムは、
電気機器と電流センサと識別装置とを備える電気機器識別システムであって、
前記電気機器は、
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御する制御手段と、を備え、
前記電流センサは、前記電源から前記電気機器に流れる電流を検出し、
前記識別装置は、前記電流センサにより検出された電流に重畳されている前記識別信号に基づいて、前記電気機器を識別する。
【発明の効果】
【０００８】
本発明によれば、簡単な構成で電気機器を識別することができる。
【図面の簡単な説明】
【０００９】
【図１】本発明の第１の実施形態に係る電気機器識別システムの概要を説明するための図である。
【図２】本発明の第１の実施形態に係る電気機器識別システムの構成を示すブロック図である。
【図３】制御部の構成を示すブロック図である。
【図４】制御装置の構成を示すブロック図である。
【図５】識別信号を説明するための図である。
【図６】識別信号のフォーマットを示す図である。
【図７】本発明の第１の実施形態に係る電気機器が実行する識別信号送出処理を示すフローチャートである。
【図８】本発明の第１の実施形態に係る制御装置が実行する電気機器識別処理を示すフローチャートである。
【図９】本発明の第２の実施形態に係る電気機器識別システムの構成を示すブロック図である。
【図１０】本発明の第２の実施形態に係る電気機器が実行するウェイト処理を示すフローチャートである。
【発明を実施するための形態】
【００１０】
以下、本発明の実施形態を、図面を参照して説明する。
【００１１】
（第１の実施形態）
まず、図１を参照して、本発明の第１の実施形態に係る電気機器識別システム１０００の概要を説明する。電気機器識別システム１０００は、家屋５００に設置された分電盤４００から供給された電力で動作する電気機器１００を識別するシステムである。なお、図面における電気機器１００Ａ、１００Ｂ、１００Ｃを総称して、適宜、電気機器１００という。
【００１２】
電気機器１００は、分電盤４００から供給された電力で動作する。電気機器１００は、分電盤４００に接続された家屋内配線４１０Ａ、４１０Ｂから電力の供給を受ける。なお、図面における家屋内配線４１０Ａ、４１０Ｂを総称して、適宜、家屋内配線４１０という。
【００１３】
電力計測センサ２００は、家屋内配線４１０内を流れる電流などを計測し、家屋内配線４１０から電力の供給を受ける電気機器１００により消費される電力を計測する。図１に示すように、スイッチ４２０Ａが導通状態であり、スイッチ４２０Ｂが絶縁状態である場合、開屋内配線４１０内には、電気機器１００Ａに供給される電流が流れる。一方、スイッチ４２０Ａとスイッチ４２０Ｂとの両方が導通状態である場合、家屋内配線４１０内には、電気機器１００Ａに供給される電流と、電気機器１００Ｂに供給される電流と、電気機器１００Ｃに供給される電流とを合計した電流が流れる。電力計測センサ２００は、計測した電流を示すデータ（以下「電流データ」という。）を、制御装置３００に供給する。
【００１４】
電力計測センサ２００は、変流器（Current Transformer）２１０Ａから供給される信号に基づいて、家屋内配線４１０Ａ内を流れる電流を求める。また、電力計測センサ２００は、変流器２１０Ｂから供給される信号に基づいて、家屋内配線４１０Ｂ内を流れる電流を求める。なお、図面における変流器２１０Ａ、２１０Ｂを総称して、適宜、変流器２１０という。変流器２１０Ａは、家屋内配線４１０Ａ内を流れる電流により誘起される電圧の信号を、電力計測センサ２００に供給する。変流器２１０Ｂは、家屋内配線４１０Ｂ内を流れる電流により誘起される電圧の信号を、電力計測センサ２００に供給する。変流器２１０は、例えば、コイルを備える。
【００１５】
制御装置３００は、電力計測センサ２００から供給される電流データに基づいて、電気機器１００の動作状態を監視し、電気機器１００の動作を制御する。なお、制御装置３００は、電気機器１００を制御するために、この電流データに基づいて、電気機器１００が、どのような機器であり、どのような動作状態であるのかを識別する。
【００１６】
分電盤４００は、変電所などから供給された電力を、電気機器１００に分配する。分電盤４００は、電気機器１００を複数のグループにグループ分けして、グループ毎に電力を供給することができる。図１は、電気機器１００ＡがグループＡに属し、電気機器１００Ｂと電気機器１００ＣとがグループＢに属する例を示している。
【００１７】
分電盤４００は、グループＡに属する電気機器１００Ａへの電力の供給を管理するスイッチ４２０Ａと、グループＢに属する電気機器１００Ｂ、１００Ｃへの電力の供給を管理するスイッチ４２０Ｂと、を備える。スイッチ４２０Ａが導通状態のとき、電気機器１００Ａに電力が供給される。スイッチ４２０Ｂが導通状態のとき、電気機器１００Ｂと電気機器１００Ｃとに電力が供給される。
【００１８】
家屋５００は、電力需要がある家屋である。図１は、家屋５００内に、電気機器１００Ａ、１００Ｂ、１００Ｃと、電力計測センサ２００と、制御装置３００と、分電盤４００とが配置されている例を示している。
【００１９】
次に、図２を参照して、電気機器識別システム１０００の構成について詳細に説明する。なお、図２においては、家屋内配線４１０から電力が供給される電気機器１００が１つである例を示している。また、図２においては、分電盤４００（厳密には、変電所と給電線と分電盤４００との組み合わせ）を、交流電源４３０として表している。
【００２０】
図２に示すように、電気機器識別システム１０００では、家屋内配線４１０を介して、交流電源４３０から電気機器１００に電力が供給される。ここで、家屋内配線４１０内を流れる電流は、電力計測センサ２００により計測される。また、電力計測センサ２００による計測の結果に基づいて、制御装置３００により電気機器１００が識別される。
【００２１】
以下、図２を参照して、電気機器１００の構成について詳細に説明する。
【００２２】
電気機器１００は、ダイオード１１０Ａ、１１０Ｂ、１１０Ｃ、１１０Ｄと、コイル１２０と、キャパシタ１３０と、機器負荷１４０と、端子１４１Ａ、１４１Ｂと、トランジスタ１５１と、抵抗器１５２と、制御部１５３とを備える。
【００２３】
ダイオード１１０Ａのアノードは、ダイオード１１０Ｃのカソードと交流電源４３０の一端に接続された家屋内配線４１０Ａとに接続される。ダイオード１１０Ａのカソードは、ダイオード１１０Ｂのカソードとコイル１２０の一端とに接続される。
【００２４】
ダイオード１１０Ｂのアノードは、ダイオード１１０Ｄのカソードと交流電源４３０の他端に接続された家屋内配線４１０Ｂとに接続される。ダイオード１１０Ｂのカソードは、ダイオード１１０Ａのカソードとコイル１２０の一端とに接続される。
【００２５】
ダイオード１１０Ｃのアノードは、ダイオード１１０Ｄのアノードとキャパシタ１３０の一端と端子１４１Ｂと抵抗器１５２の一端とに接続される。ダイオード１１０Ｃのカソードは、ダイオード１１０Ａのアノードと家屋内配線４１０Ａとに接続される。
【００２６】
ダイオード１１０Ｄのアノードは、ダイオード１１０Ｃのアノードとキャパシタ１３０の一端と端子１４１Ｂと抵抗器１５２の一端とに接続される。ダイオード１１０Ｄのカソードは、ダイオード１１０Ｂのアノードと家屋内配線４１０Ｂとに接続される。
【００２７】
ダイオード１１０Ａ、１１０Ｂ、１１０Ｃ、１１０Ｄは、家屋内配線４１０Ａと家屋内配線４１０Ｂとの間に供給される交流電力を直流電力に変換し、コイル１２０の一端と抵抗器１５２の一端との間に供給する整流回路を構成する。
【００２８】
コイル１２０の一端は、ダイオード１１０Ａのカソードとダイオード１１０Ｂのカソードとに接続される。コイル１２０の他端は、キャパシタ１３０の他端と端子１４１Ａとトランジスタ１５１のコレクタとに接続される。
【００２９】
キャパシタ１３０の一端は、ダイオード１１０Ｃのアノードとダイオード１１０Ｄのアノードと端子１４１Ｂと抵抗器１５２の一端とに接続される。キャパシタ１３０の他端は、コイル１２０の他端と端子１４１Ａとトランジスタ１５１のコレクタとに接続される。
【００３０】
コイル１２０とキャパシタ１３０とは、端子１４１Ａと端子１４１Ｂとの間に安定した電圧を発生させるローパスフィルタを構成する。
【００３１】
機器負荷１４０は、電源４３０から供給された電力を消費して、電気機器１００がなすべき動作を実行するための負荷である。機器負荷１４０の一端は、端子１４１Ａに接続される。機器負荷１４０の他端は、端子１４１Ｂに接続される。
【００３２】
端子１４１Ａは、コイル１２０の他端とキャパシタ１３０の他端と機器負荷１４０の一端とトランジスタ１５１のコレクタとに接続される。
【００３３】
端子１４１Ｂは、ダイオード１１０Ｃのアノードとダイオード１１０Ｄのアノードとキャパシタ１３０の一端と機器負荷１４０の他端と抵抗器１５２の一端とに接続される。
【００３４】
トランジスタ１５１は、ゲートとエミッタとの間に印加される電圧に従って、コレクタからエミッタに流れる電流の量を制御する。トランジスタ１５１は、例えば、ＮＰＮ（Negative Positive Negative）型トランジスタである。
【００３５】
トランジスタ１５１のコレクタは、コイル１２０の他端とキャパシタ１３０の他端と端子１４１Ａに接続される。トランジスタ１５１のエミッタは、抵抗器１５２の他端に接続される。トランジスタ１５１のベースは、制御部１５３に接続される。
【００３６】
抵抗器１５２は、抵抗値が比較的低い抵抗器である。抵抗器１５２の一端は、ダイオード１１０Ｃのアノードとダイオード１１０Ｄのアノードとキャパシタ１３０の一端と端子１４１Ｂとに接続される。抵抗器１５２の他端は、トランジスタ１５１のエミッタに接続される。
【００３７】
制御部１５３は、トランジスタ１５１のベース−エミッタ間の電圧を制御して、トランジスタ１５１のコレクタ−エミッタ間を流れる電流を制御する。例えば、制御部１５３は、トランジスタ１５１のベースの電位を制御する。
【００３８】
ここで、図３を参照して、制御部１５３の構成について説明する。
【００３９】
制御部１５３は、ＣＰＵ（Central Processing Unit）１５４と、ＲＯＭ（Read Only Memory）１５５と、ＲＡＭ（Random Access Memory）１５６と、通信部１５７と、ＲＴＣ（Real Time Clock）１５８と、出力部１５９と、乱数発生器１６０とを備える。制御部１５３が備えるこれらの構成要素は、バス１７０により相互に接続される。
【００４０】
ＣＰＵ１５４は、ＲＯＭ１５５に記憶されているプログラムに従って、制御部１５３全体の動作を制御する。
【００４１】
ＲＯＭ１５５は、制御部１５３の動作を規定するプログラムやデータを記憶する。なお、ＣＰＵ１５４は、ＲＯＭ１５５に記憶されているプログラムやデータに基づいて、識別信号に含める各種の情報を決定することができる。
【００４２】
ＲＡＭ１５６は、ＣＰＵ１５４のワークエリアとして機能する。従って、ＲＡＭ１５６には、各種のデータが一時的に記憶される。
【００４３】
通信部１５７は、無線通信又は有線通信により、電気機器１００の各部と通信する。なお、ＣＰＵ１５４は、通信部１５７を制御して、電気機器１００の各部と相互に情報を送受信することができる。通信部１５７は、例えば、通信ＩＣ（Integrated Circuit）を備える。
【００４４】
ＲＴＣ１５８は、計時用のデバイスである。ＣＰＵ１５４は、ＲＴＣ１５８を参照して、現在時刻を検出することができる。ＲＴＣ１５８は、例えば、水晶発振子や電池を備える。
【００４５】
出力部１５９は、トランジスタ１５１のベース−エミッタ間に、所定の電圧を印加する。出力部１５９は、例えば、Ｄ／Ａ（Digital Analog）変換器を備える。
【００４６】
乱数発生器１６０は、ハードウェア的に乱数を発生させる。乱数発生器１６０は、発生した乱数を示す情報（以下「乱数情報」という。）を制御部１５３に供給する。乱数発生器１６０は、例えば、ノイズを発生させるためのダイオードや、発生したノイズをアナログ信号からデジタル信号に変換するＡ／Ｄ（Analog Digital）変換器を備える。
【００４７】
トランジスタ１５１と抵抗器１５２と制御部１５３とは、機器負荷１４０と並列に接続されるバイパス回路１５０を構成する。バイパス回路１５０は、自身の負荷（インピーダンス等）を調整することができる。バイパス回路１５０は、機器負荷１４０に流れる電流に、電気機器１００を識別するための情報を伝達するための信号（以下「識別信号」という。）を重畳して、家屋内配線４１０に流す役割を担う。なお、識別信号は、例えば、ハイパスフィルタやローパスフィルタで商用電源周波数（５０Ｈｚ、６０Ｈｚ）と分離できる程度に高い周波数の電流信号である。
【００４８】
電力計測センサ２００は、変流器２１０から供給される電圧信号に基づいて、家屋内配線４１０に流れる電流などを計測する。電力計測センサ２００は、計測により取得された電流データを、順次、制御装置３００に供給する。
【００４９】
制御装置３００は、電力計測センサ２００から供給される電流データに基づいて、バイパス回路１５０により生成された識別信号を検出する。制御装置３００は、検出した識別信号に基づいて、電気機器１００の種類や動作状態などを識別する。なお、制御装置３００は、識別結果をユーザに提示したり、識別結果に基づいて電気機器１００を制御したりすることができる。
【００５０】
ここで、図４を参照して、制御装置３００の構成について説明する。
【００５１】
制御装置３００は、ＣＰＵ３０１と、ＲＯＭ３０２と、ＲＡＭ３０３と、通信部３０４と、ＲＴＣ３０５とを備える。制御装置３００が備えるこれらの構成要素は、バス３１０により相互に接続される。
【００５２】
ＣＰＵ３０１は、ＲＯＭ３０２に記憶されているプログラムに従って、制御装置３００全体の動作を制御する。
【００５３】
ＲＯＭ３０２は、制御装置３００の動作を規定するプログラムやデータを記憶する。なお、ＣＰＵ３０１は、ＲＯＭ３０２に記憶されているプログラムやデータに基づいて、識別信号に含まれる各種の情報がどのような情報であるのかを判別することができる。
【００５４】
ＲＡＭ３０３は、ＣＰＵ３０１のワークエリアとして機能する。従って、ＲＡＭ３０３には、各種のデータが一時的に記憶される。
【００５５】
通信部３０４は、無線通信又は有線通信により、電気機器１００や他の機器と通信する。なお、ＣＰＵ３０１は、通信部３０４を制御して、電気機器１００や他の機器と相互に情報を送受信することができる。通信部３０４は、例えば、通信ＩＣを備える。
【００５６】
ＲＴＣ３０５は、計時用のデバイスである。ＣＰＵ３０１は、ＲＴＣ３０５を参照して、現在時刻を検出することができる。ＲＴＣ３０５は、例えば、水晶発振子や電池を備える。
【００５７】
次に、図５と図６とを参照して、バイパス回路１５０により生成される識別信号について説明する。
【００５８】
識別信号は、機器負荷１４０に流れる電流に重畳される信号である。つまり、識別信号は、電流信号である。本実施形態では、図５に示すように、識別信号は、ＰＡＭ（Pulse Amplitude Modulation）による変調方式により生成される電流信号であるものとする。
【００５９】
図５は、識別信号が、所定の周期毎に所定の振幅で変動する電流値により、「１１０１１」という５ビットのデジタル値を示す例を示している。なお、識別信号の振幅や周期は、適宜、調整することができる。
【００６０】
識別信号の振幅は、例えば、家屋内配線４１０に流れる電流から、この電流に重畳されている識別信号が検出可能な程度の振幅にすることができる。識別信号の振幅は、例えば、家屋内配線４１０に流れる電流に含まれるノイズの振幅よりも、十分に大きい振幅とすることができる。
【００６１】
識別信号の周期は、例えば、ハイパスフィルタにより、家屋内配線４１０に流れる電流から、この電流に重畳されている識別信号が抽出可能な程度の周期にすることができる。識別信号の周期は、例えば、商用電源の周波数に対応する周期よりも、十分に短い周期とすることができる。
【００６２】
また、本実施形態では、図６に示すように、識別信号は、プリアンブルとプリアンブルに続く機器識別子と機器識別子に続く動作識別子とから構成されるフォーマットであるものとする。
【００６３】
プリアンブルは、識別信号の先頭部分であることを示すためのデジタルデータである。本実施形態は、プリアンブルは４ビットである。なお、プリアンブルは、固定値である。プリアンブルは、プリアンブルが検出されやすくなる値であることが望ましい。プリアンブルは、例えば、「１０１０」とすることができる。
【００６４】
機器識別子は、電気機器１００がどのような機器であるのかを識別するためのデジタルデータである。本実施形態では、機器識別子は、８ビットである。機器識別子は、例えば、電気機器１００の機能、種類、名称、品番、サイズ、消費電力などに割り当てられたデジタルデータとすることができる。なお、機器識別子の各ビットの割り当ては、適宜、調整することができる。例えば、機器識別子の前半の４ビットが、電気機器１００の機能を示し、機器識別子の後半の４ビットが、電気機器１００の品番を示してもよい。
【００６５】
動作識別子は、電気機器１００の動作状態を識別するためのデジタルデータである。本実施形態では、動作識別子は、８ビットである。動作識別子は、例えば、電気機器１００のステータス（運転中、停止中、エラー発生中など）や動作モード（高出力モード、通常モード、省エネモードなど）に割り当てられたデジタルデータとすることができる。なお、動作識別子の各ビットの割り当ては、適宜、調整することができる。例えば、動作識別子の前半の４ビットが、電気機器１００のステータスを示し、動作識別子の後半の４ビットが、電気機器１００の動作モードを示してもよい。
【００６６】
なお、４ビットのプリアンブルと８ビットの機器識別子と８ビットの動作識別子とを合わせた２０ビットのデジタルデータを、以下、適宜、識別データという。
【００６７】
次に、図７に示すフローチャートを参照して、電気機器１００が実行する識別信号送出処理について説明する。なお、電気機器１００が備えるＣＰＵ１５４は、電源が投入されたことを検知すると、図７に示す識別信号送出処理を開始する。
【００６８】
まず、ＣＰＵ１５４は、送出フラグをセットする（ステップＳ１０１）。この送出フラグは、識別信号を送出すべきトリガとなる事象が発生したときにセットされるフラグである。なお、ステップＳ１０１で送出フラグがセットされる理由は、電気機器１００の電源が投入された直後には、識別信号が送出されることが望ましいためである。送出フラグは、例えば、ＲＡＭ１５６に記憶される。
【００６９】
ＣＰＵ１５４は、ステップＳ１０１の処理を完了すると、動作状態情報を取得、保存する（ステップＳ１０２）。動作状態情報は、電気機器１００の動作状態を示す情報である。動作状態情報は、例えば、識別データに含まれる動作識別子により示される情報である。ＣＰＵ１５４は、例えば、通信部１５７を制御して、電気機器１００の動作を制御するモジュールから動作状態情報を取得することができる。ＣＰＵ１５４は、取得した動作状態情報を、ＲＡＭ１５６に記憶する。なお、ステップＳ１０２においてＲＡＭ１５６に記憶される動作状態情報は、電気機器１００の電源が投入された直後における動作状態を示す。
【００７０】
ＣＰＵ１５４は、ステップＳ１０２の処理を完了すると、動作状態情報を取得する（ステップＳ１０３）。ＣＰＵ１５４は、ステップＳ１０２と同様に、通信部１５７を制御して、電気機器１００の動作を制御するモジュールから動作状態情報を取得することができる。
【００７１】
ＣＰＵ１５４は、ステップＳ１０３の処理を完了すると、動作状態が変更されたか否かを判別する（ステップＳ１０４）。具体的には、ＣＰＵ１５４は、ステップＳ１０２においてＲＡＭ１５６に記憶された動作状態情報により示される動作状態と、ステップＳ１０３において取得され動作状態情報により示される動作状態とが同じであるか否かを判別する。
【００７２】
ＣＰＵ１５４は、動作状態が変更されたと判別すると（ステップＳ１０４：ＹＥＳ）、送出フラグをセットする（ステップＳ１０５）。なお、ステップＳ１０５で送出フラグがセットされる理由は、電気機器１００の動作状態に変更があった場合には、識別信号が送出されることが望ましいためである。
【００７３】
ＣＰＵ１５４は、ステップＳ１０５の処理を完了すると、動作状態情報を更新する（ステップＳ１０６）。具体的には、ＣＰＵ１５４は、ＲＡＭ１５６に記憶されている動作状態情報を、ステップＳ１０３において取得された動作状態情報で上書きする。
【００７４】
一方、ＣＰＵ１５４は、動作状態が変更されていないと判別した場合（ステップＳ１０４：ＮＯ）、もしくは、ステップＳ１０６の処理を終了した場合、送出フラグがセットされているか否かを判別する（ステップＳ１０７）。
【００７５】
ＣＰＵ１５４は、送出フラグがセットされていると判別すると（ステップＳ１０７：ＹＥＳ）、識別信号を送出する（ステップＳ１０８）。具体的には、ＣＰＵ１５４は、２０ビットの識別データの先頭から順にビットを選択し、出力部１５９に、選択しているビットの値に応じた電位をトランジスタ１５１のベースに印加させる。なお、選択するビットを切り替える周期は、上述した所定の周期である。ステップＳ１０８の処理により、家屋内配線４１０を流れる電流に、図５に示すような識別信号が含まれることになる。
【００７６】
ＣＰＵ１５４は、ステップＳ１０８の処理を完了すると、送出フラグをクリアする（ステップＳ１０９）。ＣＰＵ１５４は、送出フラグがセットされていないと判別した場合（ステップＳ１０７：ＮＯ）、もしくは、ステップＳ１０９の処理を完了した場合、ステップＳ１０３に処理を戻す。
【００７７】
以上、説明したように、本実施形態では、電気機器１００の電源が投入された場合、もしくは、電気機器１００の動作状態が変更された場合、識別信号が家屋内配線４１０に送出される。
【００７８】
次に、図８に示すフローチャートを参照して、制御装置３００が実行する電気機器識別処理について説明する。なお、制御装置３００が備えるＣＰＵ３０１は、電源が投入されたことを検知すると、図８に示す電気機器識別処理を開始する。
【００７９】
まず、ＣＰＵ３０１は、電力計測センサ２００から電流データを取得する（ステップＳ２０１）。なお、電力計測センサ２００は、常時、電流データを制御装置３００に供給するものとする。また、電力計測センサ２００は、変流器２１０から供給される電圧の信号に基づいて、制御装置３００に供給する電流データを生成することができる。ＣＰＵ３０１は、取得した電流データを、順次、ＲＡＭ３０３に記憶することができる。
【００８０】
ＣＰＵ３０１は、ステップＳ２０１の処理を完了すると、電流データから高周波成分を抽出する（ステップＳ２０２）。例えば、ＣＰＵ３０１は、ＲＡＭ３０３に記憶されている所定期間分の電流データを、ソフトウェア的にハイパスフィルタにかけて、低周波成分が除去された電流データを取得する。なお、除去される低周波成分は、例えば、商用電源の周波数に対応する成分である。
【００８１】
ＣＰＵ３０１は、ステップＳ２０２の処理を完了すると、電流データを二値化する（ステップＳ２０３）。具体的には、ＣＰＵ３０１は、低周波成分が除去された電流データを、所定の閾値に従って、「０」又は「１」のデジタルデータに変換する。
【００８２】
ＣＰＵ３０１は、ステップＳ２０３の処理を完了すると、プリアンブルのパターンがあるか否かを判別する（ステップＳ２０４）。具体的には、ＣＰＵ３０１は、二値化された電流データにより示されるパターンに、プリアンブルのパターンに対応するパターンが含まれているか否かを判別する。
【００８３】
例えば、識別信号が送出されない場合、二値化された電流データが「０」となり、プリアンブルは「１０１０」であり、所定の周期がＴであるものとする。この場合、例えば、ＣＰＵ３０１は、電流データが「０」から「１」になるまで、電流データを監視する。ＣＰＵ３０１は、電流データが「０」から「１」になったことを検出すると、検出時刻からＴが経過した時刻における電流データが「０」であり、且つ、検出時刻から２Ｔが経過した時刻における電流データが「１」であることを検出した場合、プリアンブルを検出したと判別することができる。
【００８４】
ＣＰＵ３０１は、プリアンブルのパターンがあると判別すると（ステップＳ２０４：ＹＥＳ）、機器識別子と動作識別子とを取得する（ステップＳ２０５）。例えば、ＣＰＵ３０１は、プリアンブルの４ビットに引き続いて送信された１６ビットの値を、二値化された電流データからＴの間隔で１６個抽出することにより、機器識別子と動作識別子とを取得することができる。
【００８５】
ＣＰＵ３０１は、ステップＳ２０５の処理を完了すると、電気機器１００と動作状態とを識別する（ステップＳ２０６）。なお、ＣＰＵ３０１は、取得した機器識別子に基づいて、電気機器１００を識別することができる。また、ＣＰＵ３０１は、取得した動作識別子に基づいて、電気機器１００の動作状態を識別することができる。
【００８６】
ＣＰＵ３０１は、プリアンブルのパターンがないと判別した場合（ステップＳ２０４：ＮＯ）、もしくは、ステップＳ２０６の処理を完了した場合、ステップＳ２０１に処理を戻す。
【００８７】
本実施形態によれば、家屋内配線４１０に流れる電流に重畳された識別信号に基づいて、電気機器１００を識別し、また、この電気機器１００の動作状態を識別することができる。このように、本実施形態によれば、電気機器１００とは物理的に離れた制御装置３００が、電気機器１００の種類や動作状態を識別することができる。
【００８８】
なお、本実施形態では、識別信号を送出するための回路として電気機器１００に追加するべき回路は、比較的簡単な構成のバイパス回路１５０でよい。従って、本実施形態によれば、電気機器１００の外部に、識別信号を送出するための回路を追加する場合に比べ、省スペース化、低コスト化、構成の簡略化が期待できる。
【００８９】
また、本実施形態では、識別信号にプリアンブルが含まれている。このため、家屋内配線４１０に流れる電流にノイズなどが重畳されている場合でも、誤検出が減ることが期待できる。
【００９０】
また、本実施形態では、識別信号は頻繁に送出されない。このため、識別信号を送出するためにバイパス回路１５０が動作することにより、電気機器１００が本来なすべき動作へ与える影響は小さいものと考えられる。
【００９１】
（第２の実施形態）
第１の実施形態においては、本発明を、インバータ機器でない電気機器１００に適用する例を示した。以下、本発明を、インバータ機器である電気機器１０１に適用する例について説明する。なお、第１の実施形態と同様の構成については、説明を簡略化または省略する。
【００９２】
図９に示すように、本発明の第２の実施形態に係る電気機器識別システム１００１は、家屋内配線４１０から供給された電力で動作するインバータ機器である電気機器１０１を識別するシステムである。
【００９３】
電気機器１０１は、インバータ機器である。例えば、電気機器１０１は、空気調和機、ＩＨＣＨ（Induction Heater Cooking Heater）、卓上ＩＨＣＨ、冷蔵庫、空気清浄機、炊飯器、除湿機、換気扇、掃除機である。
【００９４】
電気機器１０１は、機器負荷１４０に代えてインバータ１４２を備え、さらに、モータ１４３と過渡状態検知部１４４とを備えること以外は、電気機器１００と同様の構成である。
【００９５】
インバータ１４２は、端子１４１Ａと端子１４１Ｂとの間に供給される直流電力を交流電力に変換し、モータ１４３に供給する。インバータ１４２の入力部の一方は、端子１４１Ａに接続され、インバータ１４２の入力部の他方は、端子１４１Ｂに接続される。インバータ１４２は、例えば、キャパシタ、コイル、整流素子、発振子などにより構成される発振回路を備える。
【００９６】
モータ１４３は、インバータ１４２から供給された交流電力による電気エネルギーを、機械エネルギーに変換する。モータ１４３は、例えば、回転軸を中心に回転するロータと、ロータと相互作用して回転モーメントを発生させるステータと、ロータの回転を外部に伝える回転軸と、回転軸を支える軸受とを備える。
【００９７】
過渡状態検知部１４４は、インバータ１４２の動作状態を監視し、インバータ１４２が過渡状態にあるか否かを検知する。なお、インバータ１４２が過渡状態にあるときは、家屋内配線４１０に流れる電流の値が安定せず、インバータ１４２が過渡状態にないときは、家屋内配線４１０に流れる電流の値が安定すると推定される。
【００９８】
インバータ１４２が停止状態から動作状態への移行中の状態である場合、もしくは、インバータ１４２が動作状態から停止状態への移行中の状態である場合、インバータ１４２が過渡状態にあると推定される。インバータ１４２が動作状態であっても、モータ１４３に供給される交流電力が安定していない場合、インバータ１４２が過渡状態にあると考えてもよい。過渡状態検知部１４４は、例えば、インバータ１４２内を流れる電流の変動が安定していない場合、インバータ１４２が過渡状態であると判別することができる。過渡状態検知部１４４は、インバータ１４２が過渡状態であるか否かを示す信号（以下「過渡状態判別信号」という。）を制御部１５３に供給する。過渡状態検知部１４４は、例えば、変流器や比較器を含む回路を備える。
【００９９】
制御部１５３は、過渡状態検知部１４４から供給される過渡状態判別信号に基づいて、識別信号を送出するか否かなどを決定する。例えば、制御部１５３は、過渡状態判別信号に基づいてインバータ１４２が過渡状態であると判別した場合、識別信号を送出することを中止もしくは延期することができる。
【０１００】
なお、インバータ機器である電気機器１０１は、力率改善回路としてバイパス回路１５０を予め備えている。従って、電気機器１０１のハードウェア構成を変更せずに、ソフトウェア的に変更するだけで、電気機器１０１から識別信号を送出することができる。また、バイパス回路１５０は、識別信号を送出しないときは、力率改善回路として機能する。
【０１０１】
次に、電気機器１０１が実行する識別信号送出処理について説明する。ただし、電気機器１０１が実行する識別信号送出処理は、基本的には図７に示す識別信号送出処理と同様である。従って、以下では、電気機器１０１が実行する識別信号送出処理のうち、図７に示す識別信号送出処理と異なる部分について説明する。
【０１０２】
電気機器１０１が実行する識別信号送出処理は、送出フラグがセットされていると判別された場合（ステップＳ１０７：ＹＥＳ）、図１０のフローチャートに示すウェイト処理が実行され、このウェイト処理が終了した後、識別信号を送出する処理（ステップＳ１０８）が実行される。以下、図１０を参照して、ウェイト処理について説明する。
【０１０３】
まず、ＣＰＵ１５４は、識別信号の送出タイミングを決定する（ステップＳ３０１）。識別信号の送出タイミングを決定する手法は、適宜、調整することができる。例えば、ＣＰＵ１５４は、乱数発生器１６０から供給された乱数情報に基づいて、識別信号の送出タイミングを決定することができる。例えば、ＣＰＵ１５４は、ＲＴＣ１５８から取得される時刻情報により示される時刻から、乱数発生器１６０から供給された乱数情報により示される乱数に対応する時間だけ経過した時刻を、識別信号の送出タイミングに決定することができる。ＣＰＵ１５４は、決定した送出タイミングを示す時刻情報をＲＡＭ１５６に記憶する。
【０１０４】
ＣＰＵ１５４は、ステップＳ３０１の処理を完了すると、送出タイミングであるか否かを判別する（ステップＳ３０２）。具体的には、ＣＰＵ１５４は、ＲＴＣ１５８から取得される時刻情報により示される時刻が、ＲＡＭ１５６に記憶されている時刻情報により示される送出タイミングであるか否かを判別する。
【０１０５】
ＣＰＵ１５４は、送出タイミングであると判別すると（ステップＳ３０２：ＹＥＳ）、過渡状態情報を取得する（ステップＳ３０３）。具体的には、ＣＰＵ１５４は、通信部１５７を制御して、過渡状態検知部１４４から過渡状態情報を取得することができる。
【０１０６】
一方、ＣＰＵ１５４は、送出タイミングでないと判別すると（ステップＳ３０２：ＮＯ）、ステップＳ３０２に処理を戻す。つまり、ＣＰＵ１５４は、送出タイミングになるまでウェイトする。
【０１０７】
ＣＰＵ１５４は、ステップＳ３０３の処理を完了すると、家屋内配線４１０内の電流が安定しているか否かを判別する（ステップＳ３０４）。ＣＰＵ１５４は、例えば、ステップＳ３０３において取得した過渡状態情報に基づいて、家屋内配線４１０内の電流が安定しているか否かを判別することができる。
【０１０８】
ＣＰＵ１５４は、家屋内配線４１０内の電流が安定していると判別すると（ステップＳ３０４：ＹＥＳ）、ウェイト処理を終了し、識別信号を送出する処理（ステップＳ１０８）を実行する。
【０１０９】
一方、ＣＰＵ１５４は、家屋内配線４１０内の電流が安定していないと判別すると（ステップＳ３０４：ＮＯ）、ステップＳ３０１に処理を戻す。
【０１１０】
本実施形態によれば、家屋内配線４１０に流れる電流に重畳された識別信号に基づいて、電気機器１０１を識別し、また、この電気機器１０１の動作状態を識別することができる。なお、本実施形態では、電気機器１０１は、インバータ機器であり、力率改善回路として、バイパス回路１５０が備えられている。このため、識別信号を送出するための回路を電気機器１０１に追加する必要がない。従って、本実施形態によれば、電気機器１０１の外部に、識別信号を送出するための回路を追加する場合に比べ、省スペース化、低コスト化、構成の簡略化が期待できる。
【０１１１】
また、本実施形態では、電気機器１０１は、識別信号の送出タイミングをランダムに決定する。このため、仮に、複数の電気機器１０１に同時に電源が投入されたとしても、識別信号が同じタイミングで送出される確率が低くなることが期待できる。
【０１１２】
また、本実施形態では、電気機器１０１は、識別信号の送出タイミングで、家屋内配線４１０に流れる電流が安定していないと判別した場合、識別信号の送出を保留する。つまり、電気機器１０１は、家屋内配線４１０に流れる電流が安定していると判別した場合に、識別信号の送出する。従って、識別信号の誤検出が減ることが期待できる。
【０１１３】
以上、本発明の実施形態を説明したが、本発明を実施するにあたっては、種々の形態による変形及び応用が可能であり、上記実施形態に限られるものではない。
【０１１４】
第１、２の実施形態においては、バイパス回路１５０が抵抗器１５２を備える例について説明した。本発明において、バイパス回路１５０が抵抗器１５２を備えていなくてもよい。
【０１１５】
第１、２の実施形態においては、識別信号を送出するトリガとなる事象が発生した場合、識別信号が１回だけ送出される例について説明した。本発明において、このトリガとなる事象が発生した場合、識別信号が複数回送出されてもよい。この場合、一定の周期で識別信号が送出されてもよいし、識別信号が送出される間隔がランダムに決定されてもよい。
【０１１６】
また、一定の周期で識別信号が送出される場合において、この周期が、電気機器毎に異なっていてもよい。また、トリガとなる事象の発生の有無にかかわらず、所定の周期もしくはランダムに決定された間隔で、識別信号が送出されてもよい。
【０１１７】
また、１つの識別信号の送出が開始されてから完了するまでの時間帯が、等間隔で区切られた複数の期間（スロット）のうちの１つの期間内に収まるように、識別信号が送出されるタイミングが決定されてもよい。この場合、上記期間は、１つの識別信号が送出されるのに要する時間よりも長いことが前提となる。ただし、上記期間は、なるべく短い時間であることが望ましい。かかる構成では、ある識別信号と他の識別信号とが僅かな時間だけ重複するということがなく、結果として、識別信号が重複する確率を下げることができる。
【０１１８】
ここで、上記時間帯が１つの期間内に収まるのであれば、識別信号の送出が開始されるタイミングは任意である。例えば、識別信号の送出が開始されるタイミングは、上記期間の先頭の時刻であってもよい。あるいは、識別信号の送出が開始されるタイミングが、ランダムに決定されてもよい。この場合、例えば、上記時間帯が１つの期間内に収まるまで、識別信号の送出が開始されるタイミングがランダムに決定される処理が繰り返される。
【０１１９】
具体的には、まず、識別信号の送出が開始されるタイミングがランダムに仮決めされる。次に、仮決めされたタイミングで識別信号の送出が開始された場合に、識別信号の送出が１つの期間内に完了するか否かが判定される。ここで、識別信号の送出が１つの期間内に完了すると判定された場合、仮決めされたタイミングが識別信号の送出が開始されるタイミングに確定される。一方、識別信号の送出が１つの期間内に完了しないと判定された場合、再度、識別信号の送出が開始されるタイミングがランダムに仮決めされる。
【０１２０】
なお、上記期間の区切りの時刻は、予め定められていてもよいし、電気機器間で同期をとるようにしてもよい。同期をとる場合、例えば、各スロットの開始時刻が到来する毎に、ある電気機器が備える通信部１５７が、他の電気機器が備える通信部１５７に所定の信号を送信することで同期をとることができる。
【０１２１】
また、各電気機器は、識別信号を送出する前に、識別信号を送出する旨を、他の電気機器に通知するようにしてもよい。かかる構成では、各電気機器は、識別信号を送出する前に、他の電気機器が識別信号を送出しようとしているか否かを判別することができる。この場合、各電気機器は、識別信号が重複するおそれがないときに、識別信号を送出することができる。
【０１２２】
第１、２の実施形態においては、バイパス回路１５０がＮＰＮ型のトランジスタ１５１を備える例について説明した。本発明において、ＮＰＮ型のトランジスタ１５１に代えて、コイル１２０の他端からダイオード１１０Ｃのアノード等にバイパスさせる電流を制御可能な種々の素子を採用することができる。
【０１２３】
第１、２の実施形態においては、ＰＡＭ方式により、識別データを、電流信号に変換する例を示した。本発明において、識別データを電流信号に変換する手法として、種々の方法を採用することができる。例えば、ＰＷＭ（Pulse Width Modulation）方式、ＰＰＭ（Pulse Position Modulation）方式などの変調方式を採用することができる。
【０１２４】
第１、２の実施形態においては、識別データが、プリアンブルと機器識別子と動作識別子とにより構成される例について説明した。本発明において、識別データの構成は、この例に限定されない。例えば、識別データが、プリアンブルと機器識別子とにより構成されてもよい。また、識別データにプリアンブルが含まれなくてもよい。また、ビット数は、上述した例に限定されないことは勿論である。
【０１２５】
第１、２の実施形態においては、識別信号が電流値により示される電流信号である例について説明した。本発明において、識別信号が、周波数成分、電流と電圧の位相差、電力値、力率、電圧値のいずれか、もしくは、これらの組み合わせにより示される信号であってもよい。
【０１２６】
本発明において、第１、２の実施形態において説明した処理を実行する構成要素は、上述した構成要素に限定されない。つまり、上述した処理の全部もしくは一部の処理は、電気機器識別システム全体として実行されればよい。例えば、第１、２の実施形態においては、電力計測センサ２００が電流データを制御装置３００に供給し、制御装置３００が供給された電流データに基づいて、識別信号を検出する例について説明した。本発明において、電力計測センサ２００が識別信号を検出してもよい。
【０１２７】
第１、２の実施形態においては、制御部１５３が、ＣＰＵ１５４、ＲＯＭ１５５、ＲＡＭ１５６を備え、ＣＰＵ１５４がＲＯＭ１５５に記憶されているプログラムに従って、ソフトウェアにより各処理が実現される例を示した。また、第１、２の実施形態においては、制御装置３００が、ＣＰＵ３０１、ＲＯＭ３０２、ＲＡＭ３０３を備え、ＣＰＵ３０１がＲＯＭ３０２に記憶されているプログラムに従って、ソフトウェアにより各処理が実現される例を示した。しかし、制御部１５３や制御装置３００が実行する処理は、ソフトウェアにより実現されるものに限定されない。例えば、制御部１５３や制御装置３００は、ＦＰＧＡ（Field Programmable Gate Array）、ＰＬＤ（Programmable Logic Device）、ＤＳＰ（Digital Signal Processor）などにより構成されてもよい。
【０１２８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１２９】
本発明は、電源から供給される電力で動作する電気機器に適用可能である。
【符号の説明】
【０１３０】
１００、１００Ａ、１００Ｂ、１００Ｃ、１０１  電気機器、１１０Ａ、１１０Ｂ、１１０Ｃ、１１０Ｄ  ダイオード、１２０  コイル、１３０  キャパシタ、１４０  機器負荷、１４１Ａ、１４２Ｂ  端子、１４２  インバータ、１４３  モータ、１４４  過渡状態検知部、１５０  バイパス回路、１５１  トランジスタ、１５２  抵抗器、１５３  制御部、１５４、３０１  ＣＰＵ、１５５、３０２  ＲＯＭ、１５６、３０３  ＲＡＭ、１５７、３０４  通信部、１５８、３０５  ＲＴＣ、１５９  出力部、１６０  乱数発生器、１７０、３１０  バス、２００  電力計測センサ、２１０、２１０Ａ、２１０Ｂ  変流器、３００  制御装置、４００  分電盤、４１０、４１０Ａ、４１０Ｂ  家屋内配線、４２０、４２０Ａ、４２０Ｂ  スイッチ、４３０  交流電源、５００  家屋、１０００、１００１  電気機器識別システム
【図１】
2014112125.tif 000003
【図２】
2014112125.tif 000004
【図３】
2014112125.tif 000005
【図４】
2014112125.tif 000006
【図５】
2014112125.tif 000007
【図６】
2014112125.tif 000008
【図７】
2014112125.tif 000009
【図８】
2014112125.tif 000010
【図９】
2014112125.tif 000011
【図１０】
2014112125.tif 000012
【手続補正書】
【提出日】平成27年6月19日(2015.6.19)
【手続補正１】
【補正対象書類名】明細書
【補正対象項目名】０００７
【補正方法】変更
【補正の内容】
【０００７】
上記目的を達成するために、本発明に係る電気機器識別システムは、
電気機器と電流センサと識別装置とを備える電気機器識別システムであって、
前記電気機器は、
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御する制御手段と、を備え、
前記電流センサは、前記電源から前記電気機器に流れる電流を検出し、
前記識別装置は、前記電流センサにより検出された電流に重畳されている前記識別信号に基づいて、前記電気機器を識別し、
前記機器負荷は、インバータ回路を備え、
前記負荷回路は、前記機器負荷における力率が改善するように前記インバータ回路に供給される電力を制御する。
【手続補正２】
【補正対象書類名】特許請求の範囲
【補正対象項目名】全文
【補正方法】変更
【補正の内容】
【特許請求の範囲】
【請求項１】
電気機器と電流センサと識別装置とを備える電気機器識別システムであって、
前記電気機器は、
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御する制御手段と、を備え、
前記電流センサは、前記電源から前記電気機器に流れる電流を検出し、
前記識別装置は、前記電流センサにより検出された電流に重畳されている前記識別信号に基づいて、前記電気機器を識別し、
前記機器負荷は、インバータ回路を備え、
前記負荷回路は、前記機器負荷における力率が改善するように前記インバータ回路に供給される電力を制御する、
電気機器識別システム。
【請求項２】
前記識別信号は、予め定められたパターンを有するプリアンブル部と前記プリアンブル部に続くデータ部とを有し、
前記識別装置は、前記電流センサにより検出された電流から前記プリンアンブル部を検出し、前記プリアンブル部を検出した場合、前記電流から前記プリアンブル部に続く前記データ部を検出する、
請求項１に記載の電気機器識別システム。
【請求項３】
前記電気機器は、前記電気機器の動作状態が安定した状態であるか否かを判別する状態判別手段をさらに備え、
前記制御手段は、前記状態判別手段により前記電気機器の動作状態が安定した状態であると判別された場合に、前記識別信号の重畳のための制御を実行する、
請求項１又は２に記載の電気機器識別システム。
【請求項４】
前記制御手段は、同一の情報を示す識別信号について、前記識別信号の重畳のための制御を複数回実行する、
請求項１乃至３のいずれか１項に記載の電気機器識別システム。
【請求項５】
電気機器と電流センサと識別装置とを備える電気機器識別システムであって、
前記電気機器は、
電源から供給された電力を消費する機器負荷と、
前記機器負荷と並列に設けられた負荷回路と、
前記電源から前記電気機器に流れる電流に、前記電気機器を識別するための情報を示す識別信号が重畳されるように、前記負荷回路に流れる電流を制御し、ランダム時間経過後に、前記識別信号の重畳のための制御を開始する制御手段と、を備え、
前記電流センサは、前記電源から前記電気機器に流れる電流を検出し、
前記識別装置は、前記電流センサにより検出された電流に重畳されている前記識別信号に基づいて、前記電気機器を識別する、
電気機器識別システム。
【請求項６】
複数の電気機器と電流センサと識別装置とを備える電気機器識別システムであって、
前記複数の電気機器のそれぞれは、
電源から供給された電力を消費する機器負荷と、
前記機器負荷と並列に設けられた負荷回路と、
前記複数の電気機器のうち自電気機器を識別するための情報を示す識別信号の重畳のための制御が、等間隔で区切られた複数の期間のうちの１つの期間内に収まるように、前記識別信号の重畳のための制御を開始するタイミングを決定する決定手段と、
前記電源から前記自電気機器に流れる電流に、前記識別信号が重畳されるように、前記負荷回路に流れる電流を制御し、前記決定手段により決定されたタイミングで、前記識別信号の重畳のための制御を開始する制御手段と、を備え、
前記電流センサは、前記電源から前記複数の電気機器に流れる合計の電流を検出し、
前記識別装置は、前記電流センサにより検出された電流に重畳されている前記識別信号に基づいて、前記複数の電気機器を識別する、
電気機器識別システム。
【請求項７】
電源から供給された電力を消費する機器負荷と、
前記機器負荷と並列に設けられた負荷回路と、
前記電源から電気機器に流れる電流に、前記電気機器を識別するための情報を示す識別信号が重畳されるように、前記負荷回路に流れる電流を制御する制御手段と、を備え、
前記機器負荷は、インバータ回路を備え、
前記負荷回路は、前記機器負荷における力率が改善するように前記インバータ回路に供給される電力を制御する、
電気機器。
【請求項８】
電源から供給された電力を消費する機器負荷と、前記機器負荷と並列に設けられた負荷回路と、を備える電気機器を識別する電気機器識別方法であって、
前記電源から前記電気機器に流れる電流に、前記電気機器を識別するための情報を示す識別信号が重畳されるように、前記負荷回路に流れる電流を制御する制御ステップと、
前記電源から前記電気機器に流れる電流を検出する検出ステップと、
前記検出ステップで検出された電流に重畳されている前記識別信号に基づいて、前記電気機器を識別する識別ステップと、を備え、
前記機器負荷は、インバータ回路を備え、
前記負荷回路は、前記機器負荷における力率が改善するように前記インバータ回路に供給される電力を制御する、
電気機器識別方法。
【国際調査報告】
2014112125.tif 000013
2014112125.tif 000014